(57)【要約】      （修正有）【課題】車椅子に座る使用者の脚部を快適に支持し、車椅子に乗り移るとき、および車椅子から他に移る際に不便のない車椅子を提供する。【解決手段】フットレスト８およびふくらはぎレスト１０を備えた車椅子１は、第１の（使用の準備ができた）支持位置においては、このフットレストおよびふくらはぎレストが、車椅子の使用中に座る使用者の脚部の少なくとも一部を支持するように設計され、更に車椅子使用者が車椅子に着座するとき、および／または車椅子から起立するとき、ふくらはぎレストが第２の（移動の準備ができた）非支持位置に回転移動することができ、使用者の脚部によって占める空間の外側に位置するようにできる。【選択図】図２Ａ
2006230793.tif 000002
【特許請求の範囲】
【請求項１】
フレーム部（７）と、これに結合される、フットレスト（８）とふくらはぎレスト（１０）とを含むレッグレスト（６）を備える車椅子であって、フットレスト（８）とふくらはぎレスト（１０）とは第１の（使用の準備ができた）支持位置において、使用される間車椅子に座る使用者の脚部の少なくとも一部を支持するように設計され、前記ふくらはぎレスト（１０）は、第２の（移動の準備ができた）非支持位置まで移動可能であり、第２支持位置において、前記ふくらはぎレスト（１０）は、車椅子使用者が車椅子に着座するときに、および／または車椅子から起立するときに、車椅子使用者の脚部によって占める空間の外側に位置するとともに、前記第１および第２の位置間のふくらはぎレスト（１０）の移動経路は、前記第１の支持位置において車椅子使用者の脚部によって占める空間の外側に実質的に位置することを特徴とする車椅子。
【請求項２】
前記ふくらはぎレスト（１０）は、車椅子（１）に着脱自在に結合されることを特徴とする請求項１記載の車椅子。
【請求項３】
前記ふくらはぎレスト（１０）は、車椅子（２）に回動自在に結合されることを特徴とする請求項１または２記載の車椅子。
【請求項４】
前記ふくらはぎレスト（１０）は、ふくらはぎプレート（１１）と、アーム構造（１２）とを含み、前記ふくらはぎプレート（１１）は、前記アーム構造（１２）を介して、前記レッグレスト（６）の前記フレーム部（７）に回動自在に結合されることを特徴とする請求項１〜３のうちいずれか１項に記載の車椅子。
【請求項５】
前記アーム構造（１２）は、第１アーム（１４）と第２アーム（１６）とを含み、前記第１アーム（１４）は、レッグレスト（６）に連結され、前記第２アーム（１６）は、ふくらはぎプレート（１１）に連結され、ここにおいて、これらの２つのアーム（１４，１６）は、第１回動軸（Ｓ1）について互いに回動可能なように連結されることを特徴とする請求項４記載の車椅子。
【請求項６】
前記第１回動軸（Ｓ1）は、第１アーム（１６）の中心軸に対して角度γで延び、前記角度γは、約４５°および１２０°の間であり、好ましくは少なくとも９０°よりも小さいことを特徴とする請求項５記載の車椅子。
【請求項７】
前記第１アーム（１４）および／または前記第２アーム（１６）は、長さを調節可能にされることを特徴とする請求項５または６記載の車椅子。
【請求項８】
前記第２アーム（１６）は、ふくらはぎレスト（１０）の支持位置において、実質的に水平に、車椅子（１）の主要運転方向に対して実質的に直角に延びる第２回動軸（Ｓ2）について回動可能であり、この第２回動軸（Ｓ2）についての前記第２アーム（１６）の回動によって、この第２アームに連結される前記ふくらはぎプレート（１１）と前記フットレストとの間の角度が調節可能なように配列されることを特徴とする請求項５〜７のいずれか１項に記載の車椅子。
【請求項９】
前記レッグレスト（６）の前記フレーム部（７）が、車椅子（１）に回動可能に結合されることを特徴とする請求項１〜８のうちいずれか１項に記載の車椅子。
【請求項１０】
前記フットレスト（８）は、第１の支持位置と第２の移動の準備のできた位置との間で可動であり、前記フットレスト（８）は、車椅子（１）から起立する間、および／または車椅子（１）に着座する間に、車椅子使用者の脚部によって占められる空間の外側に位置することを特徴とする請求項１〜９のうちいずれか１項に記載の車椅子。
【請求項１１】
前記フットレスト（８）は、前記フレーム部（７）に回動可能に結合されることを特徴とする請求項１〜１０のうちいずれか１項に記載の車椅子。
【請求項１２】
前記フットレスト（８）は、前記フレーム部（７）の中心軸に対して実質的に直角に延びる平面上で回動可能であることを特徴とする請求項１〜１１のうちいずれか１項に記載の車椅子。
【請求項１３】
前記フットレスト（８）は、第１の支持位置から、前記フレーム部（７）に向かって、このフレーム部（７）に対して実質的に平行に位置する第２の移動の準備のできた位置まで、回動可能であることを特徴とする請求項１〜１２のうちいずれか１項に記載の車椅子。
【請求項１４】
前記ふくらはぎレストおよび／または前記フットレストを、前記第１の支持位置から前記第２の移動の準備のできた位置まで、および／またはその逆に、移動させる機械的駆動手段が設けられることを特徴とする請求項１〜１３のうちいずれか１項に記載の車椅子。
【請求項１５】
前記駆動手段は、前記ふくらはぎレスト（１０）および／または前記フットレスト（８）を第２の移動の準備のできた位置まで付勢する付勢スプリングを含むことを特徴とする請求項１４記載の車椅子。
【請求項１６】
前記第１の支持位置にある前記ふくらはぎレスト（１０）の回動を阻止する阻止手段が設けられることを特徴とする請求項１〜１５のうちいずれか１項に記載の車椅子。
【請求項１７】
請求項１〜１６のうちいずれか１項に記載の特徴を有するレッグレストであって、座支持体に用いるのに適したレッグレスト。
【請求項１８】
請求項１〜６のうちいずれか１項に記載の車椅子を、この車椅子（１）から、この車椅子に座る使用者を移すために、準備する方法であって、車椅子使用者の脚部が前記フットレスト（８）に置かれている間に、前記ふくらはぎレスト（１０）を前記支持位置から前記第２の非支持位置に移動させ、ここにおいて、車椅子使用者の脚部は、前記フットレスト（８）から外されるとともに、車椅子の前の路面に置かれ、必要に応じて、前記フットレスト（８）を、第２の非支持位置に移動させることを特徴とする方法。
【発明の詳細な説明】
【技術分野】
【０００１】
本発明は、レッグレストを備える車椅子に関し、特に、レッグレストは、ふくらはぎレストを備える。かかる車椅子は、知られている。
【背景技術】
【０００２】
この既知の車椅子によって、レッグレストは通常、車椅子に対して、中央に連結され、または両側に連結されるフレーム部を有し、このフレーム部は、フレーム部から車椅子の座席の前まで延びるフットレストとふくらはぎレストとを備える。かかるレッグレストは、車椅子に座る使用者の脚部を快適に支持するのに役立つが、車椅子に乗り移るとき、および車椅子からこの使用者が他に移る際に、不便な障害となる。
【０００３】
すでに提案されているものは、レッグレストが回動可能に設計されたものであり、したがって、車椅子から移る前に、レッグレストは、側方に一時的に回動させることができる。その車椅子に座る使用者の脚部は、回動するふくらはぎレストの移動経路から持ち上げなければならない。これは、使用者および／またはその支援者による実質的な肉体的労力を必要とする非常に不快な座姿勢を生じさせる。
【発明の開示】
【発明が解決しようとする課題】
【０００４】
本発明の目的は、既知のレッグレストに関する上述の不都合を回避するとともに、その利点を維持する冒頭の段落で述べたタイプの車椅子を提供することである。この目的のために、本発明に従った車椅子は、請求項１記載の特徴によって特徴付けられる。
【課題を解決するための手段】
【０００５】
本発明に従った車椅子によって、ふくらはぎレストは、車椅子使用者がフットレストに足部を置いたときにこの使用者の脚部が占める空間を横切ることなく、支持位置から非支持位置に至らせることが可能である。続いて、車椅子は、車椅子使用者がこれらのフットレストから脚部を外すことを必要とせずに移動のための準備をすることができ、したがって、肉体的労力および不快な座姿勢を回避することができる。さらに、車椅子使用者および／またはその同伴者は、ふくらはぎレスト、または任意にその他の車椅子の部品を動作させるために、彼らの手を使う必要はない。ふくらはぎレストが除去された後、車椅子使用者の脚部を、フットレストから外して、車椅子の前の路面に直接置くことができる。ここで、フットレストまたはレッグレスト全体を、側方に回動させることができる。当然のことながら、その後、その移動経路は今度も、車椅子の前の路面に置かれた脚部が占める空間を横切らない。車椅子の前の道路区域の障害が除去された後、車椅子使用者は、同伴者の補助の有無に関わらず、妨害されていない車椅子から起立することができる。
【０００６】
本発明に従った有利な実施形態において、ふくらはぎレストは、たとえば、チューブクランプ、ピン穴連結(pin hole connection)、またはロック可能な、もしくはロックできない締結手段を用いて、着脱自在にレッグレストに連結されることができる。結果として、支持が（もはや）必要とされない、あるいは望まれない場合、レッグレストは、容易に取り外すことができる。さらに、かかる実施形態は、レッグレストにおけるふくらはぎレストの位置を調節することができるように、簡単に設計されることができ、これによって、支持を、使用者の種々の個別の要望に、簡単な方法で適合させることができる。
【０００７】
代替的な有利な実施形態において、各ふくらはぎレストは、レッグレストに回動可能に結合される。結果として、ふくらはぎレストは、ふくらはぎレストを取り外す必要もなく、非支持位置に回動可能である。したがって、取り外し動作および組立て動作を回避することができ、（分離した部品の）紛失または盗難の危険性は減少する。当然のことながら、前述の実施形態の組合せも可能であり、ここにおいて、ふくらはぎレストは、着脱可能かつ回動可能に結合することによって、レッグレストと結合される。
【０００８】
さらなる詳述において、ふくらはぎレストは、アーム構造を介して、レッグレストのフレーム部に回動可能に結合されるふくらはぎプレートを含む。好ましくは、このアーム構造は、２つのアームから構成され、これらのアームは、互いに回動可能なように連結され、第１アームは、レッグレストと連結され、第２アームは、ふくろはぎプレートと連結される。
【０００９】
かかるアーム構造によって、ふくらはぎプレートは、簡単な方法で既存の車椅子のレッグレストに取り付けることが可能であり、アーム構造は、特に、２つのアーム間の回動軸の方向は、支持位置において車椅子使用者の脚部を適切に支持することができ、かつ非支持位置に対するその移動経路が車椅子の部品と交差しないように、ふくらはぎレストを取り付けるために必要な自由度を提供する。
【００１０】
調節可能性をさらに高めるために、好ましくは、アーム構造のアームのうち少なくとも１つは、長さを調節することができる。さらに、ふくらはぎプレートが取り付けられる第２アームは、好ましくは第２回動軸について回動可能にされ、したがって、フットレストおよびふくらはぎレストの支持面間の角度は、可変である。さらに、好ましくは、レッグレスト全体と、座支持部との間の角度も調節可能である。これらの角度は、たとえば、ロッド機構を用いて、たとえば互いに関連付けられ、ならびに／または座支持部の位置と関連付けられ、および／もしくは背面支持部と底面支持部との間の角度に関連付けられてもよい。
【００１１】
特に有利な実施形態において、機械的駆動手段が設けられ、ふくらはぎレストは、使用の準備ができた支持位置と移動の準備ができた非支持位置との間で、（半）自動的に移動することができる。たとえば、付勢手段が設けられてもよく、この付勢手段は、ふくらはぎレストが支持位置にあるとき、移動の準備ができた位置にふくらはぎレストを付勢する。付勢手段を作動させることによって（たとえば、阻止材を持ち上げることによって）、ふくらはぎレストは、付勢力によって、非支持位置にさせられるであろう。かかる駆動手段によって、移動を目的とする車椅子の準備は、さらに単純化される。当然のことながら、類似の駆動手段が、フットレストに備えられてもよい。さらに、適切な阻止手段が、回動に抗して支持位置のふくらはぎレストを固定するために備えられてもよい。
【００１２】
さらに代替的な実施形態において、ふくらはぎレストは、レッグレストのフレーム部に固定され、このフレーム部が回動可能なように車椅子に連結されてもよく、その回動によって、ふくらはぎレストは、支持されるべき脚部から離れて、支持位置から揺動可能となる。こうしてふくらはぎレストが回動によって離れたときに使用者がフットレスト上の足部を離すことができるようにするために、フットレストは、別個の第２フレーム部に固定されてもよく、またはフレーム部それ自体の回動軸と実質的に同軸の回動軸まわりに第１フレーム部に回動可能に結合されてもよく、これによって、フレーム部の回動によって、フットレストは、反対方向に回動することができ、最終的に、フットレストは、支持位置で維持される。車椅子使用者の足部がフットレストから離れた後、フットレストは、たとえば、脇に回動可能とするか、あるいは別の方法で、たとえばこれらの結合を解除することによって、除去することが可能である。
【００１３】
本発明はさらに、座支持体、たとえば車椅子に用いるのに適したレッグレストに関し、また、本発明に従った車椅子から移動可能とする方法に関する。
【００１４】
本発明の説明において、本発明に従ったレッグレストおよびその動作の模範的実施形態が、図面を参照してさらに説明されるであろう。
【発明を実施するための最良の形態】
【００１５】
図１Ａおよび図１Ｂは、本発明に従った車椅子１を示し、車椅子１は、座支持体２を含み、座支持体２は、車輪基礎構造３によって支持され、この車輪基礎構造３は、２つの回動可能な前輪４と、２つの駆動可能な後輪５とを備える。当然のことながら、その他の基礎構造の構成が可能である。車椅子１は、レッグレスト６をさらに含み、このレッグレスト６は、管状のフレーム部７と、これに連結されるフットレスト８およびふくらはぎレスト１０とから組み立てられ、図１Ａにおいては、使用の準備ができた支持位置を取り、図１Ｂにおいては、移動の準備ができた後方回動位置を取る。
【００１６】
図１Ａおよび図１Ｂに示す車椅子１は、１つのレッグレスト６を含み、これは、基礎構造３の一方側に締結され、座支持体２の前縁付近から、下方に傾斜して、路面付近まで延びる。代替的に、車椅子は、車椅子１の両側に取り付けられる２つのレッグレスト６を有してもよく、または車椅子の中央長手平面において延びる１つの中央のレッグレスト６を有してもよい。
【００１７】
好ましくは、フレーム部７は、座支持体２の前縁に対して実質的に平行に走る回動軸について基礎構造３にヒンジで連結され、これによって、フレーム部７と座支持体２の座面との間の角度β（図２Ａ参照）を調節することができる。用途次第で、この角度βは、能動的なまっすぐな座姿勢の約９０°と、受動的な後方傾斜姿勢の約１８０°との間で可変であろう。使用中でないときには、レッグレスト６は、座支持体２の底側に対してまで、回動軸について折り畳むことができ、これによって、コンパクトな、容易に運搬することができる車椅子を得ることができる。代替的に、またはこれに追加して、フレーム部７は、実質的に垂直な軸（図示しない）について回動可能に備えられてもよく、これによって、使用中でないとき、または運搬中に、レッグレスト６は、車椅子の側面に対してまで、側方に回動することができる。
【００１８】
フットレスト８は、それ自体充分に知られており、したがって、ここにおいてさらに説明する必要はない。好ましくは、フットレスト８の支持面９は、足部が滑るのを防止するために、把持を高める外形を備える、と述べれば足りる。さらに、好ましくは、フットレスト８は、さらに記述されるようにして、フレーム部７と回動可能に結合される。ふくらはぎレスト１０は、ふくらはぎプレート１１を含み、このふくらはぎプレート１１は、ふくらはぎプレート１１が、図２Ａに示す支持位置から図２Ｂに示す移動の準備のできた位置に至ることができるように、さらに記述されるアーム構造１２を介して、フレーム部７と回動可能に結合される。好ましくは、ふくらはぎプレート１１は、ふくらはぎの快適な支持のために、比較的柔らかい、弾力性のある材料、たとえば、発泡ゴムの層で覆われる。さらに、使用中にふくらはぎに面する面は、ふくらはぎの輪郭により好ましく適するように、若干凹面に設計されてもよく、これによって、ふくらはぎを、比較的大きい表面に亘って好ましく支持することができる。
【００１９】
好ましくはさらに、ふくらはぎプレート１１は、座席の前縁に対して実質的に平行に延びる実質的に水平な回動軸Ｓ2について傾動可能であり（図２Ａ参照）、これによって、フットレスト８の支持面９と、ふくらはぎレスト１０の支持面１１との間に含まれる角度は、調節可能である。結果として、この角度は、人および着座状態毎に、その都度調節されることができ、したがって、使用者のふくらはぎは、使用者の足部がフットレスト８に置かれるときに、ふくらはぎプレート１１に対して横たわるようにされる。通常、その角度は、特に、使用者の選択、座支持体２の位置、および／またはレッグレスト６と座支持体２との間の前述の角度βに応じて、約９０°と約１２０°との間となるであろう。
【００２０】
ふくらはぎレスト１０の構造および動作について、図３を参照して以下説明する。この図においては、本発明に従ったふくらはぎレスト１０の可能性のある実施形態が示され、少なくともその回動アーム構造１２が示される（分かりやすくするために、ふくらはぎプレート１１は、除去されている。）。留意すべきは、この実施形態が、多くの可能性のある実施形態のうちの１つにすぎず、したがっていかなる方法によっても制限的に解釈されるべきではないことである。
【００２１】
アーム構造１２は、長さを調節可能な第１アーム１４と、これと回動可能に結合される第２アーム１６とから実質的に構成され、第２アーム１６は、ふくらはぎプレート１１を搭載するための固定プレート１７を備える。
【００２２】
第１アーム１４は、３つの部分、すなわち、第１アーム部２１、第２アーム部２２およびクランプブロック２４から構成される。ボルトおよびナットの補助によって、第１アーム部２１は、フレーム部７における既存のヒンジ１３に取り付けられ、ヒンジ１３は、古いふくらはぎレストを前方に回動させる目的で設けられた。ヒンジ１３のヒンジ動作を中立化するために、クランプブロック２４が、その若干凹形状の端面がフレーム部７を部分的に受けるように、第１アーム部２１に対して締結され、これによってヒンジ１３についての第１アーム部２１の回動を阻止する。したがって、比較的単純な手段（クランプブロック２４）によって、ふくらはぎレスト１０は、そのために車椅子それ自体を調節する必要なしに、車椅子１の既存の手段（ヒンジ１３）に締結されることができる。さらに、クランプブロック２４は、第１アーム部２１に対して第２アーム部２２を重複するようにして固定するのに役立つ。ここで、第２アーム部２２における溝孔２３によって、重複の度合い、および第１アーム１４の全長Ｌが調節可能にされる。
【００２３】
第２アーム１６は、ダブルヒンジ１５を介して第２アーム部２２の先端に連結され、このダブルヒンジ１５は、２つの異なる回動軸Ｓ1，Ｓ2についての回動を可能とする。すなわち第１回動軸Ｓ1は、実質的にフレーム部７および第１アーム１４を通る平面で延び（図２Ｂおよび図３参照）、第２回動軸Ｓ2は、第２アーム１６の中心軸と実質的に同軸である。
【００２４】
第１回動軸Ｓ1についての第２アーム１６の回動によって、ふくらはぎプレート１１を、（図１Ａおよび図２Ａに示すような）使用の準備のできた支持位置から、（図１Ｂおよび図２Ｂに示すような）移動の準備のできた非支持位置に至らせることができる。第２回動軸Ｓ2についての第２アーム１６の回動によって、フットレスト８の支持面９とふくらはぎレスト１０の支持面１１との間の前述の角度が設定され得る。
【００２５】
第２アーム１６に沿って、制御ボタン１８が設けられ、これによって第２アーム１６は、第１回動軸Ｓ1について回動され得る。制御ボタン１８において、ロック機構が設けられ、これによってふくらはぎレスト１０は、支持位置においてロックされ得る（図１Ａ，図２Ａ）。このロック機構は、たとえば、制御ボタン１８の中心軸に対して実質的に平行に延び、かつ付勢スプリングの影響のもと、ヒンジ１５を通って延びる歯止めを含み、これによって、第１回動軸Ｓ1について回転しないようにする。このロック機構は、ボタン１８を引き抜くことによって（ヒンジ１５から外して）解除されることができ、これによって、歯止めは、ヒンジ１５から、付勢力に抗して引っ張られ、ヒンジは、Ｓ1についての回転のために解除される。必要に応じて、類似の構造が、第２回動軸Ｓ2についての回転をロックするために用いられてもよい。
【００２６】
ふくらはぎレスト１０の動作は、前述の制御ボタン１８によって、手動で行われることができるが、電気式、機械式、空気圧式および／または油圧式の駆動手段の補助、または支援によって達成されてもよい。たとえば、フレーム部７および制御ボタン１８の間に、付勢された引張ばねが設けられ（図示しない）、第２アーム１６を移動位置に付勢すると同時に、アーム１６は、第１アーム１４に実質的に沿って延びる。
【００２７】
第２回動軸Ｓ2についての第２アーム１６の回転は、プレート１１に対する、使用中に使用者が置くふくらはぎの重さによって、自由に生じる。結果として、ふくらはぎプレート１１は、その都度所望の状態を取ると同時に、ふくらはぎは、好適に支持される。さらに、板ばね１９が設けられ、この板ばね１９は、ふくらはぎプレート１１に力が加えられてないとき（たとえば図１Ｂおよび図２Ｂの移動の準備のできた位置において）、ふくらはぎプレートを予め定める状態に戻し、この状態において、ふくらはぎプレート１１は、基礎構造３のその他の部品を妨げない。
【００２８】
第１回動軸Ｓ1は、第１アーム１４の中心軸Ｂに対して角度γで伸び（図３参照）、この角度γは、示される模範的実施形態において、９０°よりも小さい。この角度γの選択によって、Ｓ1についてのふくらはぎプレート１１を有する第２アーム１６の移動経路の進行に直接的な影響を与える。角度γを変化させることによって、移動経路は、車椅子１の部品、特に基礎構造３の内部機能に衝突しないように変化させることができる。最も適切な角度γが、車椅子毎に、その構造に応じて、特に基礎構造に応じて異なることは明らかであろう。実際において、最も適切な角度γは、約４５°と、９０°、または９０°よりもわずかに大きい角度、たとえば１００°〜１１０°との間で可変であろう。
【００２９】
前述のレッグレスト６を備えた車椅子１は、次のように用いることができる。図１Ａは、使用の準備のできた位置における車椅子１を示す。この状態において、車椅子に座る使用者の脚部は、レッグレスト６、特にフットレスト８およびふくらはぎレスト１０によって支持される。使用者が車椅子１から起立したいとき、第２アーム１６は、制御ボタン１８の補助によって、２つのアーム１４，１６の中心軸が、おおよそ同一平面上に延びるまで、第１回動軸Ｓ1について回動されることができる。ふくらはぎプレート１１は、車椅子１の主要運転方向から見て、わずかに後方かつ下方に回動するであろう（図１Ｂおよび図２Ｂ参照）。その後、車椅子使用者８の脚部は、フットレスト８から外すことができるとともに、車椅子１の前の路面に置くことができ、ここにおいて、フットレスト８は、たとえば、第３の回動軸Ｓ3（図２Ａ参照）について、邪魔にならない所に回動されることができ、その一方で、フットレスト８は、フレーム部７に対して上方に、または第４の旋回軸Ｓ4（図２Ａ参照）について回動され、ここにおいてフットレスト８は、フレーム部７の中心軸に対して実質的に直角に延びる平面において側方に回動される。これによって、座支持体２の前の道路区域から障害が除去され、車椅子使用者は、車椅子１から起立することができるとともに、助けられることができる。車椅子に着座するとき、前述のステップが、逆の順で横断され得る。
【００３０】
したがって、車椅子１は、車椅子使用者があらゆる障害を経験することなく、または不便な姿勢を取る必要なく、単純な方法で車椅子から移動する準備をすることが可能である。
【００３１】
本発明は、記述および図面に示される模範的実施形態にいかなる方法によっても限定されない。多くのバリエーションが、請求項によって示されるような本発明の枠内で考えられる。
【００３２】
たとえば、レッグレストは、たとえば伸縮自在の摺動可能なフレーム部の補助によって長さを調節可能にされてもよく、これによって、レッグレストは、使用者の脚部の長さに合わせることができる。好ましくは、ふくらはぎレストの位置も、たとえば、ロック可能な摺動連結材によって、フレーム部に沿って調節可能であり、これによって、ふくらはぎは、常に適切な位置で支持されることができる。当然のことながら、たとえば、ひざまたは太腿部に接するいくつかの場所において脚部を支持することも可能である。このために、レッグレストは、追加の支持手段を備えてもよく、これは、ふくらはぎレストについて述べたような類似の方法でフレーム部に連結されることができ、使用の準備ができた支持位置と、移動の準備ができた非支持位置との間で可動にされる。さらに、本発明に従ったレッグレストは、車椅子の用途に限定されることはなく、追加的な脚部の支持が望まれるその他の座支持体に好都合に使用されることができる。
【００３３】
これらと多くのバリエーションとが、請求項に示されるような本発明の枠内に含まれると理解される。
【図面の簡単な説明】
【００３４】
【図１Ａ】使用の準備ができた位置における本発明に従ったふくらはぎレストを備えた車椅子を示す。
【図１Ｂ】移動の準備ができた位置における本発明に従ったふくらはぎレストを備えた車椅子を示す。
【図２Ａ】図１Ａに従ったふくらはぎレストの拡大図を示す。
【図２Ｂ】図１Ｂに従ったふくらはぎレストの拡大図を示す。
【図３】図２Ａおよび図２Ｂに従ったふくらはぎレストのアーム構造のさらに詳細な斜視図を示す。
【図１Ａ】
2006230793.tif 000003
【図１Ｂ】
2006230793.tif 000004
【図２Ａ】
2006230793.tif 000005
【図２Ｂ】
2006230793.tif 000006
【図３】
2006230793.tif 000007
【外国語明細書】
2006230793000001.pdf